(57)【要約】【課題】竿受けアームを簡単に高さ調整することができる物干し具を提供することである。【解決手段】上部がベランダの天井面に固定される大径パイプ２の長さ方向に対向一対の係合孔７を間隔をおいて形成し、大径パイプ２内に挿入された小径パイプ３の上部に対向一対の窓８を形成する。小径パイプ３の上部内に組込まれた一対の開閉可能な係合部材１０に弾性部材Ｓの弾性力を付与して開放方向に付勢する。各係合部材１０に係合孔７の内周下縁に係合可能な係合片１２を設け、その係合片１２の外側に傾斜状の連設板１３を設ける。小径パイプ３の上方向への移動時に、係合孔７の内周上縁に対する連設板１３の当接により一対の係合部材１０を閉じる方向に揺動させて係合片１２の係合を解除し、小径パイプ３の上方向への移動を可能とする。また、操作手段１５の操作により一対の係合部材１０を閉じる方向に揺動させて小径パイプ３の下方向への移動を可能とする。【選択図】図２
2005342322.tif 000002
【特許請求の範囲】
【請求項１】
吊下げ軸と、その吊下げ軸の下端に支持された竿受けアームとを有し、前記吊下げ軸が、物干し取付け対象に上部が固定される大径パイプと、その大径パイプ内にスライド自在に挿入され、大径パイプの下端から下方に突出する下端部に前記竿受けアームが取付けられた小径パイプとから成り、前記大径パイプには対向一対の係合孔を大径パイプの長さ方向に間隔をおいて設け、前記小径パイプの大径パイプ内に位置する上部には前記係合孔と対応する位置に対向一対の窓を形成し、その一対の窓間に上部を中心として開閉可能な一対の係合部材と、その一対の係合部材が開放する方向に一対の係合部材を付勢する弾性部材とを組込み、各係合部材にはその開放状態で窓からその窓に対向する係合孔内に挿入して、その係合孔の内周下縁に対する係合により小径パイプの下方向への移動を阻止する係合片を設け、各係合片の外側に傾斜部を形成し、前記一対の係合部材を前記竿受けアームの下側からの操作により閉じる方向に揺動させる操作手段を設けた物干し具。
【請求項２】
前記傾斜部の下端に大径パイプの係合孔の下方の外周面に係合するロック片を連設した請求項１に記載の物干し具。
【請求項３】
前記操作手段が、一対の係合部材のそれぞれに形成されてその一対の係合部材の開放状態で斜交状態とされる長孔と、その一対の長孔の交差部に挿入されたピンと、そのピンに上部が連結され、下部が竿受けアームの下部に臨む線状体とから成る請求項１又は２に記載の物干し具。
【発明の詳細な説明】
【技術分野】
【０００１】
この発明は、物干し竿を支持する吊下げタイプの物干し具に関するものである。
【背景技術】
【０００２】
一般に、マンション等の中、高層建築物のベランダにおいては、その天井面に対向一対の物干し具を固定し、その一対の物干し具によって物干し竿の両端部を支持するようにしている。
【０００３】
ここで、上記物干し具が物干し竿を一定の高さで支持する固定式のものであると、その物干し具に支持された物干し竿がベランダ上での歩行を阻害したり、あるいは、比較的大きな物品の運搬を阻害するおそれが生じる。
【０００４】
そのような不都合を解消するため、ベランダの天井面に上部が固定される吊下げ軸を大径パイプと小径パイプとで形成して伸縮自在とし、その小径パイプの下端に物干し竿の端部を支持する竿受けアームを取付け、上記小径パイプのスライドにより物干し竿を高さ調整し得るようにした昇降式の物干し具が提案されている。
【発明の開示】
【発明が解決しようとする課題】
【０００５】
ところで、従来から知られている昇降式の物干し具は、小径パイプをスライド位置でロックおよびロック解除する操作部が大径パイプの下端部に設けられ、その操作部が比較的高い位置にあるため、操作性が悪く、また、小径パイプをスライド操作する都度、その操作部を操作する必要があるため、煩わしいという不都合があった。
【０００６】
この発明の課題は、物干し竿を簡単に高さ調整することができる操作性に優れた昇降式の物干し具を提供することである。
【課題を解決するための手段】
【０００７】
上記の課題を解決するために、この発明においては、吊下げ軸と、その吊下げ軸の下端に支持された竿受けアームとを有し、前記吊下げ軸が、物干し取付け対象に上部が固定される大径パイプと、その大径パイプ内にスライド自在に挿入され、大径パイプの下端から下方に突出する下端部に前記竿受けアームが取付けられた小径パイプとから成り、前記大径パイプには対向一対の係合孔を大径パイプの長さ方向に間隔をおいて設け、前記小径パイプの大径パイプ内に位置する上部には前記係合孔と対応する位置に対向一対の窓を形成し、その一対の窓間に上部を中心として開閉可能な一対の係合部材と、その一対の係合部材が開放する方向に一対の係合部材を付勢する弾性部材とを組込み、各係合部材にはその開放状態で窓からその窓に対向する係合孔内に挿入して、その係合孔の内周下縁に対する係合により小径パイプの下方向への移動を阻止する係合片を設け、各係合片の外側に傾斜部を形成し、前記一対の係合部材を前記竿受けアームの下側からの操作により閉じる方向に揺動させる操作手段を設けた構成を採用したのである。
【０００８】
ここで、前記傾斜部の下端に大径パイプの係合孔の下方の外周面に係合するロック片を連設しておくと、大径パイプの外周面に対するロック片の係合によって係合部材が閉じる方向に揺動するのを防止することができるため、小径パイプをスライド調整位置において確実にロックすることができ、安全性を高めることができる。
【０００９】
この発明に係る物干し具において、操作手段として、一対の係合部材のそれぞれに形成されてその一対の係合部材の開放状態で斜交状態とされる長孔と、その一対の長孔の交差部に挿入されたピンと、そのピンに上部が連結され、下部が竿受けアームの下部に臨む線状体とから成るものを採用することができる。
【発明の効果】
【００１０】
上記の構成から成る物干し具においては、竿受けアームを押し上げると、係合孔の内周上縁に対する係合部材の傾斜部の当接により、係合部材が閉じる方向に揺動して係合孔の内周下縁に対する係合片の係合が解除されるため、小径パイプは上方にスムーズに移動する。このため、竿受けアームを上方に簡単に高さ調整することができる。
【００１１】
また、小径パイプを窓が係合孔の１つと対向する位置まで移動させると、弾性部材の弾性力により係合部材が剛性する方向に揺動して、係合片が係合孔の内周下縁に自動的に係合し、その係合によって小径パイプの下方向への移動を防止することができ、竿受けアームを高さ調整位置において停止保持させることができる。
【００１２】
さらに、操作手段を操作すると、一対の係合部材は閉じる方向に揺動して係合孔の内周下縁に対する係合片の係合が解除されるため、小径パイプを下方向に移動させることができる。このため、竿受けアームを下方にきわめて簡単に高さ調整することができると共に、操作手段は竿受けアームの下方からの操作であるため、操作性に優れ、係合部材を簡単に係合解除することができる。
【発明を実施するための最良の形態】
【００１３】
以下、この発明の実施の形態を図面に基づいて説明する。
【００１４】
図１に示すように、物干し具は、吊下げ軸１と、その吊下げ軸１の下端に設けられた竿受けアーム２０を有している。
【００１５】
吊下げ軸１は、大径パイプ２と、その大径パイプ２内にスライド自在に挿入された小径パイプ３とから成る。図３（Ｉ）に示すように、大径パイプ２および小径パイプ３は断面形状が角形とされ、小径パイプ３の上端には、図３（Ｉ）、（II）に示すように、大径パイプ２の内周に沿って摺動可能なキャップ４が取付けられている。一方、大径パイプ２の下端部には、図１に示すように、筒状のキャップ５が取付けられ、そのキャップ５の内周に沿って小径パイプ３が摺動可能とされている。
【００１６】
図１（Ｉ）、（II）に示すように、大径パイプ２の上端部にはベランダ天井面等の物干し取付け対象Ａにねじ止め等の手段で固定されるブラケット６が取付けられている。
【００１７】
また、大径パイプ２には両側において対向する一対の係合孔７が大径パイプ２の長さ方向に間隔をおいて形成されている。
【００１８】
図２および図３に示すように、小径パイプ３の大径パイプ２内に位置する上端部には両側で対向する一対の窓８が設けられている。また、小径パイプ３の上端部内には上記窓８より上方に少し片寄った位置にピン９が取付けられ、そのピン９によって一対の係合部材１０の上部が支持され、上記ピン９を中心として一対の係合部材１０は開閉自在とされている。
【００１９】
図３および図５に示すように、係合部材１０は対向一対の板体１１を前後に有し、各板体１１の上部がピン９によって支持されている。一方の係合部材１０における板体１１の一側縁および他方の係合部材１０における板体１１の他側縁には係合片１２が設けられている。
【００２０】
係合片１２は、一方の係合部材１０の一側下部および他方の係合部材１０の他側下部が小径パイプ３の内側面に当接する開放状態で、窓８からその窓８に対向する係合孔７内に挿入し、上記係合孔７の内周下縁に対する係合によって小径パイプ３の下方向への移動を阻止するようになっている。
【００２１】
係合片１２の側縁は傾斜縁とされ、その傾斜縁間に傾斜部としての連設板１３が渡されている。連設板１３の下端にはロック片１４が設けられ、このロック片１４は大径パイプ２における係合孔７の下方の外側面に対する係合により、係合部材１０が閉じる方向に揺動するのを防止するようになっている。
【００２２】
一対の係合部材１０は、ピン９に支持された弾性部材Ｓによって開放する方向に付勢されている。また、一対の係合部材１０は操作手段１５によって閉じる方向に揺動される。
【００２３】
図２に示すように、操作手段１５は、一対の係合部材１０の対向一対の板体１１に形成された長孔１６と、その長孔１６に沿ってスライド自在のピン１７と、そのピン１７に上部が連結された紐等の線状体１８とから成り、上記長孔１６は一対の係合部材１０の開放状態で他方の係合部材１０に形成された長孔１６と斜交し、その一対の長孔１６の交差部に上記ピン１７が挿入されている。
【００２４】
線状体１８は小径パイプ３内を垂下し、その下端部は竿受けアーム２０に形成された上下方向に延びる挿入孔２１に挿入され、その下端に指先係合孔１９ａを有する操作片１９が取付けられている。操作片１９は竿受けアーム２０の長さ方向中央部に形成された貫通孔２２内に臨み、上記指先係合孔１９ａに指先を挿入して操作片１９を引き下げることによりピン１７が引き下げられるようになっている。
【００２５】
なお、操作片１９は、竿受けアーム２０の下方に臨ませるようにしてもよい。
【００２６】
図１（II）に示すように、竿受けアーム２０の上縁には物干し竿Ｂの端部を支持する複数の切欠き２３が形成されている。
【００２７】
実施の形態で示す物干し具は上記の構造から成り、竿受けアーム２０で支持された物干し竿Ｂが歩行の障害となるような場合は、上方に移動させて上昇位置で停止保持し、一方、洗濯物を干すような場合は、下方に移動させ、洗濯物が吊り下げし易い高さで停止保持させる。
【００２８】
物干し竿Ｂの上方への移動に際しては、竿受けアーム２０を押し上げ、一方、下方への移動に際しては、竿受けアーム２０を少し上方に移動させてから操作片１９を引き下げると共に、その引き下げ状態を保持して竿受けアーム２０を保持する手を下げるようにする。
【００２９】
いま、図２および図３（Ｉ）に示すように、係合部材１０の係合片１２が係合孔７の内周下端に係合し、かつロック片１４が大径パイプ２の外周面に係合する状態で竿受けアーム２０を押し上げると、小径パイプ３が上方に移動し、その小径パイプ３の上部に支持された係合部材１０も上方に移動してロック片１４が係合孔７と対向し、大径パイプ２の外周面に対する係合が解除される。
【００３０】
ロック片１４の係合解除状態から小径パイプ３がさらに上方に押し上げられると、傾斜状の連設板１３が係合孔７の内周上縁に当接する。その当接状態から小径パイプ３がさらに押し上げられると、係合孔７の内周上縁に対する連設板１３の摺動によって一対の係合部材１０が閉じる方向に揺動し、係合孔７の内周下縁に対する係合片１２の係合が自動的に解除される。
【００３１】
小径パイプ３がさらに押し上げられると、図４に示すように、連設板１３の下端が大径パイプ２の内周に接触し、その接触によって係合片１２は係合解除状態に保持される。
【００３２】
このように、竿受けアーム２０を単に押し上げることにより、一対の係合部材１０は自動的に係合解除されるため、竿受けアーム２０を上方に簡単に移動させることができる。
【００３３】
係合部材１０の上方への移動時、窓８は上下方向に並ぶ係合孔７と順次対向し、その対向の都度、弾性部材５の弾性力により一対の係合部材１０が開放する方向に揺動するが、竿受けアーム２０の押し上げが継続されている間、係合部材１０は開閉を繰り返し、係合位置に保持されることはない。
【００３４】
小径パイプ３を所定の高さまで移動させ、窓８を係合孔７の１つに対向させると、弾性部材Ｓの押圧により一対の係合部材１０は開放方向に揺動してロック片１４が係合孔７から大径パイプ２の外側方に臨む状態とされる。
【００３５】
そこで、小径パイプ３を少し引き下げると、図３（Ｉ）に示すように、係合片１２が係合孔７の内周下縁に係合し、その係合によって小径パイプ３は高さ調整された位置に保持される。また、ロック片１４は大径パイプ２の外周面に係合し、その係合によって係合部材１０は閉じる方向に揺動するのが防止される。
【００３６】
このため、係合片１２は係合状態に保持されることになり、小径パイプ３を高さ調整位置に確実に保持することができる。
【００３７】
次に、竿受けアーム２０を少し押し上げると、前述と同様にロック片１４は係合孔７と対向して係合が解除され、その係合解除状態で操作片１９の指先係合孔１９ａに指先を係合して操作片１９を引き下げると、ピン１７が長孔１６に沿って下方向に移動する。その移動によって一対の係合部材１０は閉じる方向に揺動し、係合片１２は係合解除状態に保持される。その係合解除によって竿受けアーム２０を保持する手に、竿受けアーム２０および小径パイプ３の重量が作用し、上記手を下げることによって小径パイプ３が自重で下降し、竿受けアーム２０を下方向に高さ調整することができる。
【００３８】
このように、竿受けアーム２０を少し持ち上げて操作片１９を引き下げることにより、その竿受けアーム２０を下方に移動させることができるため、竿受けアーム２０の下方への高さ調整も簡単に行なうことができる。
【００３９】
なお、竿受けアーム２０を窓８が係合孔７からずれる位置まで押し上げると、図４に示すように、一対の係合部材１０は閉じる方向に揺動すると共に、ピン１７は長孔１６に沿って下降して、長孔１６の下端に臨むため、操作片１９の引き下げ操作を省略することができ、その操作片１９を保持する操作のみによって竿受けアーム２０を下方に高さ調整することができる。
【００４０】
実施の形態では、安全性を考慮して係合部材１０にロック片１４を設けたが、そのロック片１４を省略してもよい。
【図面の簡単な説明】
【００４１】
【図１】（Ｉ）はこの発明に係る物干し具の正面図、（II）は側面図
【図２】大径パイプと小径パイプの接続部を示す断面図
【図３】（Ｉ）は大径パイプと小径パイプの接続部を拡大して示す断面図、（II）は（Ｉ）のイ−イ線に沿った断面図、（III）は（Ｉ）のロ−ロ線に沿った断面図
【図４】係合部材の係合解除状態を示す断面図
【図５】係合部材とその関連部品を示す分解斜視図
【符号の説明】
【００４２】
１    吊下げ軸
２    大径パイプ
３    小径パイプ
７    係合孔
８    窓
１０  係合部材
１２  係合片
１３  連設板（傾斜部）
１４  ロック片
１５  操作手段
１６  長孔
１７  ピン
１８  線状体
２０  竿受けアーム
Ｓ    弾性部材
【図１】
2005342322.tif 000003
【図２】
2005342322.tif 000004
【図３】
2005342322.tif 000005
【図４】
2005342322.tif 000006
【図５】
2005342322.tif 000007